(57)【要約】【課題】管理対象の人物が所持するＩＣタグや、機器などに取り付けられたＩＣタグの情報を自動的に読み取り、データセンターへ送信することができ、任意の場所に設置可能なＩＣタグ読取装置を提供すること。【解決手段】管理対象の人物が所持、または機器などに取り付けられたＩＣタグ８の情報を自動で読み取るＩＣタグリーダ２と、読み取ったデータを通信回線へ出力しデータセンターへ送信する通信回線アダプター３と、電源供給装置４を収納する収納箱１で構成され、管理対象の人物や、機器の情報を通信回路網１０を通じて自動的にデータセンター１１へ送信しデータセンター１１にて情報管理する手段と、電源に太陽電池２０、交流電源２１、蓄電池５を用いることが可能な構造とするＩＣタグ読取装置を構成することで、任意の場所に設置が可能となる。【選択図】図１
2010165308.tif 000002
【特許請求の範囲】
【請求項１】
管理対象の人物が所持するICタグや、機器などに取付けられたＩＣタグの情報を自動で読み取るＩＣタグリーダと、読み取ったデータを通信回線へ出力しデータセンターへ送信する通信回線アダプター、および前記ＩＣタグリーダと通信回線アダプターへ必要な電力を供給する電源供給装置を収納する収納箱で構成され、管理対象の人物や機器の情報を自動的に収集し、データセンターへ送信することを特徴とするＩＣタグ読取装置。
【請求項２】
機器供給電源に交流電源、蓄電池、および太陽電池を用いることを可能とし、利用電源を自由に選択することにより任意の場所に設置できることを特徴とした請求項１のＩＣタグ読取装置。
【請求項３】
収納箱にＩＣタグが発信する電波を吸収・反射しない素材を使用し、耐熱・防湿機能を有することを特徴とした請求項１のＩＣタグ読取装置。
【発明の詳細な説明】
【技術分野】
【０００１】
本発明は、管理対象の人物が所持するICタグや、機器などに取付けられたＩＣタグの情報を自動的に収集し、データセンターへ送信するＩＣタグ読取装置に関する発明である。
【背景技術】
【０００２】
従来の通学路の児童や老人福祉施設における徘徊老人等の特定人物の安全配慮のために、ボランティアや介護士等によって監視対象者の行動の把握等が行われることが多い。また、資材・工具管理では、持出しチェック表や台帳管理などを行い、紛失防止が図られている。
【０００３】
このような人を介しての監視や資材・工具の帳票による管理方法は、多くの労力・時間を必要とするため効率的な運営が難しい。また、記入間違いなど人為的なミスが生じる恐れがあった。
【０００４】
従来技術として特許文献１では、構造物に取付けられたICタグの情報を読み取り、通信ネットワークを介してその管理団体に異常を通報するシステムが提案されている。また、特許文献２では、所定の場所に設置された読取装置が、位置情報管理対象の物体または生体に取付けられたＩＣタグの識別情報を読み取り、読み取ったデータを自己の位置情報とともにネットワークを介して送信し、それらの情報を管理サーバで蓄積管理することを特徴とする位置情報システムが提案されている。
【先行技術文献】
【特許文献】
【０００５】
【特許文献１】特開２００５−２２８０６７
【特許文献２】特開２００６−１９５７０７
【発明の概要】
【発明が解決しようとする課題】
【０００６】
上記特許文献１では、携帯型リーダ装置（ＩＣタグ読取装置）の所持者が構造物の異常を発見した場合、対象物に近づきＩＣタグ読取操作を行う必要がある。また、携帯型リーダ装置のため必要の都度、充電操作を伴うことになる。
【０００７】
上記特許文献２では、読取装置がゲート型や据付型であり、任意の場所に設置することは困難である。
【０００８】
本発明は管理対象の人物が所持するICタグや、機器などに取付けられたＩＣタグ情報を自動的に収集し、データセンターへ送信する機能を持ち、各種の電源が利用できるため任意の場所に設置可能な装置を提供することにある。
【課題を解決するための手段】
【０００９】
請求項１に記載の発明によれば、管理対象の人物が所持するICタグや、機器などに取付けられたＩＣタグの情報を自動で読み取るＩＣタグリーダと、読み取ったデータを通信回線へ出力しデータセンターへ送信する通信回線アダプター、および前記ＩＣタグリーダと通信回線アダプターへ必要な電力を供給する電源供給装置を収納する収納箱で構成され、管理対象の人物や機器の情報を自動的に収集し、データセンターへ送信することができるため、管理対象の人物や機器の情報をデータセンターで容易に管理することが可能である。
【００１０】
請求項２に記載の発明によれば、機器供給電源に交流電源、蓄電池、および太陽電池を用いることが可能なため、設置場所の状況に応じて電源を選択することでICタグ読取装置を任意の場所に設置することができる。
【００１１】
請求項３に記載の発明によれば、収納箱にＩＣタグが発信する電波を吸収・反射しない素材を使用し、耐熱・防湿機能を有しているため、ＩＣタグからの電波を良好に受信することができ、また機器の発熱や太陽の輻射熱、および雨水の環境下においても収納箱内の機器の損壊を防ぐことができる。
【発明の効果】
【００１２】
本発明に係るＩＣタグ読取装置によれば、取付場所の選定の上で自由度が高く、また管理対象の人物や機器などの情報を確実かつ効率的に管理することができるため、機器取付工事や管理労力の削減を図ることができる。
【図面の簡単な説明】
【００１３】
【図１】本発明の実施の形態を示すＩＣタグ読取装置の構成図。
【図２】ＩＣタグ読取装置の外観図。
【発明を実施するための形態】
【００１４】
次に、本発明を実施するための最良の形態を、装置の概略図である図１、図２を用いて詳細に説明する。
【実施例】
【００１５】
図１は、この発明の実施の一形態を示す構成図である。図１において、例として電源部として太陽電池を利用し、商用電源を不要としたICタグ読取装置システムの構成について示す。
【００１６】
収納箱１にはＩＣタグリーダ２、通信回線アダプター３、および上記装置への電源供給を担う電源供給装置４、蓄電池５を収納する。
【００１７】
ＩＣタグリーダ２は管理対象の人物が所持するＩＣタグ８や機器などに取付けられたＩＣタグ８の情報の読取を行う。通信回線アダプター３は、ＩＣタグリーダ２から情報を受け、通信回線１０へ送信する。
【００１８】
通信回線１０は、例えば携帯電話回線網、インターネット網などで構成され、管理対象の人物や機器などを管理するデータセンター１１に接続される。
【００１９】
ＩＣタグリーダ用アンテナ６は収納箱１の外部箱横部に取付けられており、ＩＣタグリーダ２に接続され、ＩＣタグ８が発信する信号を受信する。ＩＣタグリーダ用アンテナ６は、例えば２本設置することで、受信感度の向上を図ることが可能である。通信回線アダプター用アンテナ７は、ＩＣタグリーダ用アンテナ６と同様に収納箱１の外部箱横部に取り付けられており、通信回線アダプター３に接続され、通信回線アダプター３からの信号を通信回線１０へ発信する。
【００２０】
太陽電池２０は、収納箱１と離隔して発電効率の高い場所を選定して取り付けるものとし、電源供給装置４に電力を供給する。電力供給装置４は太陽電池の直流電力をＩＣタグリーダ２、通信回線アダプター３に供給すると同時に余剰電力を蓄電池５に蓄電する。夜間や雨天時等の太陽電池２０からの電力が使用できない場合は、蓄電池５に充電した電力を利用して機器に電源を供給する。
【００２１】
電源として商用電源である交流電源２１も利用できる。交流電源２１の場合は、電源供給装置は交流を直流に変換し、ＩＣタグリーダ２、通信回線アダプター３に電源を供給する。また、蓄電池５の充電を行う。交流電源が停電した場合は蓄電池５から電源を供給する。
【００２２】
取付け場所の状況に応じて、イニシャルコストやランニングコストを配慮の上、太陽電池２０や商用電源である交流電源２１を選択でき、また、ＩＣタグデータの情報送信として携帯電話回線網が利用できるので、設置場所に制約を受けることなく任意の場所に取り付けることができる。
【００２３】
収納箱１は、ＩＣタグ８が発信する電波を吸収・反射しない素材（例えば樹脂製）を使用しているため、ＩＣタグ８からの電波を良好に受信することができる。また、機器の発熱や太陽の輻射熱および雨水に対して耐熱、耐湿機能を有しているため、熱・湿気による収納箱内の機器の損壊を防ぐことができる。
【００２４】
図２は、この発明の外観図である。ＩＣタグリーダ用アンテナ６は角度を任意に変えることができるので、ＩＣタグ８が発信する信号方向に合わせて最適な位置を設定することができる。
【符号の説明】
【００２５】
１    収納箱
２    ＩＣタグリーダ
３    通信回線アダプター
４    電源供給装置
５    蓄電池
６    ＩＣタグリーダ用アンテナ
７    通信回線アダプター用アンテナ
８    ＩＣタグ
１０  通信回線
１１  データセンター
２０  太陽電池
２１  交流電源
２２  電源プラグ
【図１】
2010165308.tif 000003
【図２】
2010165308.tif 000004